(57)【特許請求の範囲】
【請求項１】
収納用穴(10a)を有する第1ブラシ本体(10)と、前記第1ブラシ本体(10)の収納用穴(10a)に挿入される第2ブラシ本体(20)からなり、
前記第1ブラシ本体(10)は、
化粧用ブラシとして多数の毛からなる第1ブラシ(11)と、
前記第1ブラシ(11)を固定する手段として第1ブラシ(11)が抜けられなく固定される状態を維持させる第1ブラシ支持台(12)と、
半円筒形からなり、前記第1ブラシ支持台(12)に連結され、収納用穴(10a)が形成されているガイド本体(13)と、
前記ガイド本体(13)の両側面に形成され、英文字“Ｌ”字型 からなるガイド穴(14)と、
前記ガイド本体(13)の下段部に形成され、突起形態からなる臨時固定用ストッパー(15)と、
前記第2ブラシ本体(20)は、
化粧用ブラシとして多数の毛からなる第2ブラシ(21)と、
前記第2ブラシ(21)を固定する手段として第2ブラシが抜けないように固定される状態を維持させる第2ブラシ支持台(22)と、
円筒形からなり一側は第2ブラシ支持台(22)に連結されている状態であり、他側は半球状として丸い形態を有する支持用本体(23)と、
前記支持用本体(23)の両側面に形成され、第1ブラシ本体(10)のガイド穴(14)に結合され、支持用本体(23)の回転を支持するスライディング用ヒンジピン(24)と、
前記支持用本体の上部及び下部にそれぞれ形成され、第1ブラシ本体(10)の臨時固定用ストッパー(15)に結合され第2ブラシが折り畳まれたり広げられたりする状態を維持させる臨時固定用溝(25)と
を含むことを特徴とする化粧容器の折り畳み式ブラシ。 
【請求項２】
前記第1ブラシ本体(10)は、第2ブラシを覆うスライディング蓋(30)をさらに設けることを特徴とする、請求項１に記載の化粧容器の折り畳み式ブラシ。 
【請求項３】
前記第1ブラシ本体(10)は、ガイド本体(13)の上部に円弧形状の引出用溝(16)をさらに設けることを特徴とする、請求項１に記載の化粧容器の折り畳み式ブラシ。 
【請求項４】
前記第2ブラシ本体(20)は、第1ブラシ本体から第2ブラシ本体を取り出すとき、手で把持して第2ブラシ本体が容易に引き出されるように誘導する引出用突起(26)を前記支持用本体の側面にさらに設けることを特徴とする、請求項１に記載の化粧容器の折り畳み式ブラシ。
【発明の詳細な説明】
【技術分野】
【０００１】
本発明は、化粧容器の折り畳み式ブラシに関するものである。より詳しくは、種類が違う２つのブラシを互に折り畳んだり広げたりすることができるように構成するが、一方のブラシ本体に差込穴を形成し、前記差込穴に他方のブラシ本体が挿入されるようになり、広げられた状態と折りたたまれた状態を容易に維持されることにより、携帯及び使用の便利なブラシを提供することを特徴とする化粧容器の折り畳み式ブラシに関するものである。
【背景技術】
【０００２】
一般的に、女性たちが顔の色調化粧をするとき、使用される化粧品は、その種類が多様なだけでなく、化粧に使用される化粧道具も多様である。
【０００３】
前記の化粧道具は、化粧品にあわせてそれに適合に使用されるように製作される。
【０００４】
上述のように、化粧品にあわせてそれに適合に使用されるように製作された化粧道具の中には、化粧品ケースに保管して使用することができる化粧道具があれば、華やかな雰囲気を表現するために使用されるペースパウダーと、顔輪郭を引き立てるだけでなく、顔を艶やかにさせるブラッシャーと、顔に立体感を与えるために上まぶたの周りに塗って化粧されるアイシャドーなどは、皮膚にタッチしながら塗る化粧品なので、それらに合う化粧用ブラシを使用するようになる。そして、広い面積に化粧をすることになり、化粧道具の大きさが化粧品ケースに共に保管して使用するには適合ではない。
【０００５】
したがって、化粧品によって使用に適合したものを、規格(サイズ)別に保管ケースなどに保管して携帯した状態で使用することとなる。
【０００６】
上述のように、別途の保管ケースに化粧道具を保管して使用する場合、その嵩が大きいため外出中に携帯して使用するのが容易ではなく、また、別途の保管ケースが使用されることにより、化粧道具の消費者価格が上昇される要因ともなる。
【０００７】
特に、メークアップを職業とするメークアップアーティストは、多数多様な化粧用ブラシを使用するので、化粧用ブラシをもう少し手軽に携帯できることが要求されている実情である。
【０００８】
このような問題を解決するために、韓国登録実用新案公報第２０−０４４２１７２号には多様なサイズのブラシを携帯することができる化粧用ブラシが提案されているところ、図1に示された形態からなり、その技術的特徴を調べると、パウダー系列の化粧品を付けて顔皮膚にタッチしながら化粧することができる化粧用ブラシにおいて、化粧品によって異なる大きさを有して使用される化粧用ブラシ１０ａ、１０ｂのブラシ体１１ａ、１１ｂに小さい大きさを有する化粧用ブラシ１０ｂ、１０ｃを共に保管して使用することができる保管溝１２ａ、１２ｂが形成されることを特徴とする。
【０００９】
しかし、上述のような化粧用ブラシは、２つの化粧用ブラシを同時に使用するには難しい点がある。
【００１０】
すなわち、従来の化粧用ブラシは個別的に提供されるものの、互に積層される構造なので、一本ずつ別途に把持して使わなければならない不便さがあった。
【発明の概要】
【発明が解決しようとする課題】
【００１１】
本発明は、このような問題点を解決するためになされたもので、折り畳んだり広げたりすることができる化粧用ブラシを提供することにより、使用しないときには収納状態を維持し、使用するときには広げることにより、一つの本体を利用して異なる化粧用ブラシを使用することができるブラシを提供するに目的がある。
【課題を解決するための手段】
【００１２】
上述した目的を達成するための手段として、本発明は、収納用穴１０ａを有する第1ブラシ本体１０と、前記第1ブラシ本体１０の収納用穴１０ａに挿入される第2ブラシ本体２０からなり、前記第1ブラシ本体１０は、化粧用ブラシとして多数の毛からなる第1ブラシ１１と、前記第1ブラシ１１を固定する手段として第1ブラシ１１が抜けられなく固定される状態を維持させる第1ブラシ支持台１２と、半円筒形からなり、前記第1ブラシ支持台１２に連結され、収納用穴１０ａが形成されているガイド本体１３と、前記ガイド本体１３の両側面に形成され、英文字“Ｌ”字型からなるガイド穴１４と、前記ガイド本体１３の下段部に形成され、突起形態からなる臨時固定用ストッパー１５と、前記第2ブラシ本体２０は、化粧用ブラシとして多数の毛からなる第2ブラシ２１と、前記第2ブラシ２１を固定する手段として第2ブラシが抜けないように固定される状態を維持させる第2ブラシ支持台２２と、円筒形からなり、一側は第2ブラシ支持台２２に連結されている状態であり、他側は半球状として丸い形態を有する支持用本体２３と、前記支持用本体２３の両側面に形成され、第1ブラシ本体１０のガイド穴１４に結合され、支持用本体２３の回転を支持するスライディング用ヒンジピン２４と、前記支持用本体の上部及び下部にそれぞれ形成され、第1ブラシ本体１０の臨時固定用ストッパー１５に結合され、第2ブラシが折り畳まれたり広げられたりする状態を維持させる臨時固定用溝２５とを含んで構成されることを特徴とする。
【００１３】
また、前記第1ブラシ本体１０は、第2ブラシを覆うスライディング蓋３０をさらに設けることを特徴とする。
【００１４】
また、前記第1ブラシ本体１０は、ガイド本体１３の上部に円弧形状の引出用溝(16)をさらに設けることを特徴とする。
【００１５】
また、前記第2ブラシ本体２０は、第1ブラシ本体から第2ブラシ本体を取り出すとき、手で把持して第2ブラシ本体が容易に引き出されるように誘導する引出用突起(26)を前記支持用本体の側面にさらに設けることを特徴とする。 
【発明の効果】
【００１６】
上述した通り、本発明は、折り畳んだり広げたりすることができる化粧用ブラシを提供する。使用しないときには収納状態を維持し、使用するときには広げることにより、一つの本体を利用してそれぞれ異なる化粧用ブラシを使用することができることにより、使用上の便利さを最大化させる効果がある。
【図面の簡単な説明】
【００１７】
【図１】本発明の全体構成図であって、２つのブラシ本体を重ねた状態を示した状態図である。
【図２】本発明の分解斜視図であって、２つのブラシ本体を分離した状態を示した状態図である。
【図３】本発明の動作図であって、第2ブラシ本体を広げた状態を示した状態図である。
【図４】本発明の動作図であって、第2ブラシ本体を「一」文字のように横に固定した状態を示した状態図である。
【図５】本発明の全体構成図であって、２つのブラシ本体を重ねた状態を示した断面図である。
【図６】本発明の動作図であって、第2ブラシ本体を広げた状態を示した断面図である。
【図７】本発明の動作図であって、第2ブラシ本体を「一」字のように横に固定した状態を示した断面図である。
【図８】本発明の一実施例であって、スライディング蓋を含む状態を示した構成図である。
【図９】本発明の一実施例動作図であって、スライディング蓋を動かす状態を示した状態図。
【発明を実施するための形態】
【００１８】
以下、本発明の好適な実施例を、添付された図面を参照して詳細に説明する。 まず、各図面の構成要素に参照符号を付加するにおいて、同じ構成要素に対しては、たとえ、他の図面上に示されても、できる限り同じ符号を有するようにしたことに留意しなければならない。また、下記において、本発明を説明するにあたって、関連された公知機能または構成に対する具体的な説明が本発明の要旨を不必要にぼやけると判断された場合には、その詳細な説明を省略する。
【００１９】
そして、後述される用語は、本発明においての機能を考慮して定められた用語であって、これらは生産者の意図または慣例によって変わることがあるので、その定義は本明細書全般にわたる内容に基づいて定められなければならないだろう。
【００２０】
図1は、本発明の全体構成図であって、２つのブラシ本体を重なった状態を示した状態図である。
【００２１】
図2は、本発明の分解斜視図であって、２つのブラシ本体を分離した状態を示した状態図である。
【００２２】
図3は、本発明の動作図であって、第2ブラシ本体を広げた状態を示した状態図である。
【００２３】
図4は、本発明の動作図であって、第2ブラシ本体を「一」文字のように横に固定した状態を示した状態図である。
【００２４】
図5は、本発明の全体構成図であって、２つのブラシ本体を重なった状態を示した断面図である。
【００２５】
図６は、本発明の動作図であって、第2ブラシ本体を広げた状態を示した断面図である。
【００２６】
図7は、本発明の動作図であって、第2ブラシ本体を「一」文字のように横に固定した状態を示した断面図である。
【００２７】
図8は、本発明の一実施例であって、スライディング蓋を含む状態を示した構成図である。
【００２８】
図9は、本発明の一実施例動作図であって、スライディング蓋を動かす状態を示した状態図である。
【００２９】
発明の構成要素は、大きく第1ブラシ本体１０と、第2ブラシ本体２０とで区分してなる。 前記第1ブラシ本体１０は、収納用穴１０ａを含んでなり、前記収納用穴１０ａに第2ブラシ本体２０を収納した状態で第2ブラシ本体２０が折り畳まれたり広げられたりする構造からなる。
【００３０】
前記第1ブラシ本体１０は、第1ブラシ１１と、第1ブラシ支持台１２と、ガイド本体１３と、ガイド穴１４と、臨時固定用ストッパー１５と、引出用溝（１６)とからなる。
【００３１】
前記第1ブラシ１１は、化粧用ブラシとして多数の毛からなる。
【００３２】
前記第1ブラシ支持台１２は、前記第1ブラシ１１を固定する手段として第1ブラシ１１が抜けられなく固定される状態を維持させる。
【００３３】
前記ガイド本体１３は半円筒形からなり第1ブラシ支持台１２に連結され、収納用穴１０ａが形成される。
【００３４】
前記ガイド穴１４は、ガイド本体１３の両側面に形成され、英文字“Ｌ”字型からなる。
【００３５】
前記臨時固定用ストッパー１５は、ガイド本体１３の下段部に形成され、突起形態からなる。
【００３６】
前記引出用溝１６は、ガイド本体１３の上部に形成され、円弧状からなる。
【００３７】
前記第2ブラシ本体２０は、第2ブラシ２１と、第2ブラシ支持台２２と、支持用本体２３と、スライディング用ヒンジピン２４と、臨時固定用溝２５と、引出用突起２６とからなる。
【００３８】
前記第2ブラシ２１は、化粧用ブラシとして多数の毛からなり、構成される。
【００３９】
前記第2ブラシ支持台２２は前記第2ブラシ２１を固定する手段として第2ブラシが抜けられなく固定される状態を維持させる。
【００４０】
前記支持用本体２３は、円筒形からなり、一側は第2ブラシ支持台２２に連結された状態であり、他側は半球状として丸い形態を有する。
【００４１】
前記スライディング用ヒンジピン２４は、前記支持用本体２３の両側面に形成され、第1ブラシ本体１０のガイド穴１４に結合され、支持用本体２３の回転を支持する。
【００４２】
前記臨時固定用溝２５は、前記支持用本体の上部及び下部にそれぞれ形成され、第1ブラシ本体１０の臨時固定用ストッパー１５に結合され、第2ブラシが折り畳まれたり広げられたりする状態を維持させる。
【００４３】
前記引出用突起２６は、前記支持用本体の側面に形成され、第1ブラシ本体１０から第2ブラシ本体２０を取り出すとき、手で把持し、第2ブラシ本体２０が容易に引き出されるように誘導する。
【００４４】
また、本発明は第2ブラシを保護するために蓋を追加構成することができるところ、そのため、第2ブラシの支持用本体にガイドバーを形成し、前記ガイドバーに沿ってスライディング移動されるスライディング蓋を具備する。
【００４５】
以下で、本発明の組み立て方法を調べれば、次のとおりである。
【００４６】
本発明は、第1ブラシ本体１０と第2ブラシ本体２０とからなり、前記第1ブラシ本体１０には、第1ブラシ１１が結合され、第2ブラシ本体２０には、第2ブラシ２１が結合され、前記第1ブラシ１１と第2ブラシ２１とはその大きさが異なるように構成される。
【００４７】
すなわち、第2ブラシ２１は、第1ブラシ本体１０に挿入されて構成されるため、第1ブラシ１１に比べて小さい構造である。
【００４８】
本発明は、第1ブラシ本体１０にガイド本体１３を具備してなり、前記ガイド本体１３の収納用穴１０ａに第2ブラシ本体２０が挿入され結合される。
【００４９】
そして、前記第2ブラシ本体２０はヒンジピン２４を具備し、第1ブラシ本体１０には、これに対応してガイド穴１４が形成されていて、第2ブラシ本体２０はヒンジピン２４を中心に折り畳まれたり広げられたりする構造である。
【００５０】
また、第1ブラシ本体１０には臨時固定用ストッパー１５が設置され、これに対応して第2ブラシ本体２０には臨時固定用溝２５が形成されていて、第2ブラシ本体２０を折り畳んだり広げたりするとき、折りたたまれた状態と広げられた状態が維持され、使用上の便利さを提供することができる。
【００５１】
また、第1ブラシ本体１０には引出用溝１６が形成され、これに対応して第2ブラシ本体２０には引出用突起２６が形成され、第2ブラシ本体２０を第1ブラシ本体１０に畳んで結合するとき、引出用突起２６が引出用溝１６に安着し、そのあと、第2ブラシ本体２０を第1ブラシ本体１０から取り出すときは、引出用溝１６に安着された引出用突起２６を手で把持し、第2ブラシ本体(20)をより容易に取り出すことができる。
【００５２】
以下で、本発明の動作を調べると、次のとおりである。
【００５３】
本発明は、第1ブラシ本体１０に第2ブラシ本体２０がヒンジピン２４を通じて結合され、使用する前には第1ブラシ本体１０のガイド本体１３に結合されている状態を維持する。
【００５４】
もちろん、必要に応じてスライディング蓋３０を利用して第2ブラシ本体２０の第2ブラシ２１を覆って保護してもよい。
【００５５】
その後、前記第2ブラシ本体２０を使用する動作を調べると、スライディング蓋３０が覆われた場合は、スライディング蓋３０を押し退けて分離する。
【００５６】
その後、前記引出用突起２６を手で把持して第2ブラシ本体２０を第1ブラシ本体１０から取り出す。
【００５７】
すると、ヒンジピン２４がガイド穴１４を中心として回転し、これに伴い第2ブラシ本体２０は第1ブラシ本体１０を基準として１８０度回転する。
【００５８】
そして、第2ブラシ本体２０が１８０度回転になると、右側に押してガイド穴１４にヒンジピン２４が圧搾されるようにする。
【００５９】
すなわち、本発明のガイド穴１４は垂直穴１４ａと水平穴１４ｂとが連結されて英文字“Ｌ”の字状で形成されるところ、スライディング用ヒンジピン２４が垂直穴１４ａに位置された状態で強制的に圧入すると、水平穴１４ｂに押し込まれるようになり、これに伴いスライディング用ヒンジピン２４が水平穴１４ｂに強制的に圧搾されながら第2ブラシ本体２０が第1ブラシ本体１０に圧搾された状態を維持することができる。
【００６０】
この際、第1ブラシ本体１０において第2ブラシ本体２０が圧搾される位置に臨時固定用ストッパー１５が設置され、前記臨時固定用ストッパー１５に臨時固定用溝２５がかかることによって、より安定された状態で第2ブラシ本体２０が広げられた状態を維持する。 すなわち、臨時固定用溝２５が進入されると、臨時固定用ストッパー１５に“カチャ”と結合され第2ブラシ本体２０が第1ブラシ本体１０に固定される状態を容易に維持する。
【００６１】
上述のように、第1ブラシ本体１０を中心に第2ブラシ本体２０が広げられると、第1ブラシ本体１０の第1ブラシ１１と第2ブラシ本体２０の第2ブラシ２１を利用して化粧をすることができる。
【００６２】
そして、化粧が終わると、第2ブラシ本体２０を第1ブラシ本体１０に畳んで収納することができる。その収納過程を調べると、次のとおりである。
【００６３】
前記第2ブラシ本体２０を左側に動かせてスライディング用ヒンジピン２４が水平穴１４ｂから抜け出して垂直穴１４ａに位置するようにする。
【００６４】
すると、前記スライディング用ヒンジピン２４は垂直穴１４ａから自由に動かせることができる状態になり、このとき、前記第2ブラシ本体２０を回転させて第1ブラシ本体１０のガイド本体１３に形成されている収納用穴１０ａに挿入させる。
【００６５】
そして、第2ブラシ本体２０を右側に押せば、スライディング用ヒンジピン２４が動きながらガイド穴１４の水平穴１４ｂに挿入し結合され、臨時固定用ストッパー１５に臨時固定用溝２５が結合され、堅固に畳んだ状態を維持する。すなわち、第2ブラシ本体２０がガタガタ揺れることが未然に防止できる。
【００６６】
その後、スライディング蓋３０が第2ブラシ本体２０に形成されているガイド３１に沿って流動され、第2ブラシ２１まで移動されることにより、第2ブラシ２１を保護することになる。
【００６７】
結局、本発明は２つのブラシ本体１０，２０を具備し、第2ブラシ本体２０を第1ブラシ本体１０から容易に折り畳んだり広げられたりすることができ、また、広げられた状態と折りたたまれた状態とを容易に維持することができ、使用上の便利さが最大化される。
【符号の説明】
【００６８】
10:第1ブラシ本体
11:第1ブラシ
12:第1ブラシ支持台
13:ガイド本体
14:ガイド穴
15:臨時固定用ストッパー
16:引出用溝
20:第2ブラシ本体
21: 第 2ブラシ
22: 第2ブラシ支持体
23:支持用本体
24:スライディング用ヒンジピン
25:臨時固定用溝
26:引出用突起
【図１】
0005989254.tif 000002
【図２】
0005989254.tif 000003
【図３】
0005989254.tif 000004
【図４】
0005989254.tif 000005
【図５】
0005989254.tif 000006
【図６】
0005989254.tif 000007
【図７】
0005989254.tif 000008
【図８】
0005989254.tif 000009
【図９】
0005989254.tif 000010